(57)【要約】【課題】スペーサを備えつつ、コストダウン及び小型化が可能なレバー式コネクタを提供すること。【解決手段】レバー式コネクタ１０は、ハウジング２０の収容部２２に収容され、端子収容室２１と交差する方向へ変位することで端子４０を係止するスペーサ５０と、回動されることで相手側ハウジングに設けられたカムピンを引き込んでハウジング２０に相手側ハウジングを引き寄せるカム溝６２を有する板状のレバー６０と、を備える。スペーサ５０は、収容部２２に収容されることでハウジング２０におけるレバー６０の装着側に突出するボス５１を有し、レバー６０は、ハウジング２０における収容部２２へのスペーサ５０の収容側と反対側でボス５１に回動可能に支持される。【選択図】図２
2018200767.tif 000002
【特許請求の範囲】
【請求項１】
相手側コネクタの凹状に形成された相手側ハウジングに対してレバーの操作で挿抜されるレバー式コネクタであって、
複数の端子収容室を有するハウジングと、
前記ハウジングの前記端子収容室に収容される複数の端子と、
前記ハウジングの一側部に開口された収容部に収容され、前記端子収容室と交差する方向へ変位することで前記端子を係止するスペーサと、
前記ハウジングに対して回動されることで前記相手側ハウジングに設けられたカムピンを引き込んで前記ハウジングに前記相手側ハウジングを引き寄せるカム溝を有し、前記カム溝に前記カムピンを受け入れ可能な仮係止位置と前記カム溝に前記カムピンを引き込む本係止位置との間で回動可能とされた板状のレバーと、
を備え、
前記スペーサは、前記収容部に収容されることで前記ハウジングにおける前記レバーの装着側に突出するボスを有し、
前記レバーは、前記ハウジングにおける前記収容部への前記スペーサの収容側と反対側で前記ボスに回動可能に支持されている
ことを特徴とするレバー式コネクタ。
【請求項２】
前記スペーサは、前記端子を係止しない仮保持位置と、前記端子を係止する本保持位置との間で変位可能とされ、
前記仮保持位置に配置された前記スペーサが、前記レバーの前記本係止位置への回動によって前記本保持位置へ変位される
ことを特徴とする請求項１に記載のレバー式コネクタ。
【請求項３】
前記ボスは、側方へ向かって互いに反対方向へ突出する一対の係止片を先端に有し、前記レバーは、前記ボスが挿通されて回動可能に支持される回動孔と、前記回動孔の縁部における対向位置に形成されて前記係止片が挿通される挿通口と、前記挿通口の一方側の側部に形成されて前記仮係止位置で前記係止片に対向する仮係止段部と、前記挿通口の他方側の側部に形成されて前記本係止位置で前記係止片を押圧して前記スペーサを前記本保持位置へ変位させる本係止段部と、前記本係止段部における前記挿通口側の縁部に形成され、前記挿通口から離れるにしたがって次第に高くなるように傾斜したテーパ形状のガイド面と、を有することを特徴とする請求項２に記載のレバー式コネクタ。
【請求項４】
前記端子は、前記レバーが前記本係止位置へ回動されて前記相手側ハウジングが引き寄せられることで、前記相手側ハウジングに設けられた回路基板の電極に当接して電気的に接続される接点部を有する
ことを特徴とする請求項１〜３のいずれか一項に記載のレバー式コネクタ。
【発明の詳細な説明】
【技術分野】
【０００１】
本発明は、レバー式コネクタに関する。
【背景技術】
【０００２】
レバーの操作によって相手側コネクタに対して低挿入力で接合させるレバー式のコネクタにおいて、ハウジングに形成された収容部に収容されるスペーサによってハウジング内の複数の端子を係止するものが知られている（例えば、特許文献１参照）。
【０００３】
このコネクタでは、仮係止位置のスペーサを治具によって押し下げて本係止位置に移動させることで、ハウジング内の複数の端子がスペーサによって一括して係止される。
【先行技術文献】
【特許文献】
【０００４】
【特許文献１】特開２０１２−２８０１２号公報
【発明の概要】
【発明が解決しようとする課題】
【０００５】
ところで、上記のコネクタは、コ字状のレバーを構成する一対のカム板をハウジングの表裏に形成した支軸に回動可能に支持させた構造であるので、全体の大型化が免れなかった。また、ハウジングの表裏の大部分がレバーのカム板によって覆われるため、スペーサを本係止位置に押し込むためのピンを有する別部品の治具が必要となる。このため、部品点数の増大によるコストアップを招いてしまう。
【０００６】
本発明は、上述した事情に鑑みてなされたものであり、その目的は、スペーサを備えつつ、コストダウン及び小型化が可能なレバー式コネクタを提供することにある。
【課題を解決するための手段】
【０００７】
前述した目的を達成するために、本発明に係るレバー式コネクタは、下記（１）〜（４）を特徴としている。
（１）  相手側コネクタの凹状に形成された相手側ハウジングに対してレバーの操作で挿抜されるレバー式コネクタであって、複数の端子収容室を有するハウジングと、前記ハウジングの前記端子収容室に収容される複数の端子と、前記ハウジングの一側部に開口された収容部に収容され、前記端子収容室と交差する方向へ変位することで前記端子を係止するスペーサと、前記ハウジングに対して回動されることで前記相手側ハウジングに設けられたカムピンを引き込んで前記ハウジングに前記相手側ハウジングを引き寄せるカム溝を有し、前記カム溝に前記カムピンを受け入れ可能な仮係止位置と前記カム溝に前記カムピンを引き込む本係止位置との間で回動可能とされた板状のレバーと、を備え、前記スペーサは、前記収容部に収容されることで前記ハウジングにおける前記レバーの装着側に突出するボスを有し、前記レバーは、前記ハウジングにおける前記収容部への前記スペーサの収容側と反対側で前記ボスに回動可能に支持されていることを特徴とするレバー式コネクタ。
（２）  前記スペーサは、前記端子を係止しない仮保持位置と、前記端子を係止する本保持位置との間で変位可能とされ、前記仮保持位置に配置された前記スペーサが前記レバーの前記本係止位置への回動によって前記本保持位置へ変位されることを特徴とする上記（１）に記載のレバー式コネクタ。
（３）  前記ボスは、側方へ向かって互いに反対方向へ突出する一対の係止片を先端に有し、前記レバーは、前記ボスが挿通されて回動可能に支持される回動孔と、前記回動孔の縁部における対向位置に形成されて前記係止片が挿通される挿通口と、前記挿通口の一方側の側部に形成されて前記仮係止位置で前記係止片に対向する仮係止段部と、前記挿通口の他方側の側部に形成されて前記本係止位置で前記係止片を押圧して前記スペーサを前記本保持位置へ変位させる本係止段部と、前記本係止段部における前記挿通口側の縁部に形成され、前記挿通口から離れるにしたがって次第に高くなるように傾斜したテーパ形状のガイド面と、を有することを特徴とする上記（２）に記載のレバー式コネクタ。
（４）  前記端子は、前記レバーが前記本係止位置へ回動されて前記相手側ハウジングが引き寄せられることで、前記相手側ハウジングに設けられた回路基板の電極に当接して電気的に接続される接点部を有することを特徴とする上記（１）〜（３）のいずれかに記載のレバー式コネクタ。
【０００８】
上記（１）の構成のレバー式コネクタによれば、相手側ハウジングに対してハウジングを挿抜させるレバーが板状に形成され、しかも、端子を係止するスペーサに形成されたボスにレバーを回転可能に支持させたので、コ字状のレバーの一対のカム板をハウジングの表裏に形成した支軸に回動可能に支持させた構造と比べ、構造の簡略化及び小型化を図ることができる。また、ハウジングにおけるレバーの装着側と反対側からハウジングの収容部にスペーサを押し込むことができるので、ピンを有する別部品からなる治具を用いることなくスペーサを操作でき、部品点数の削減によってコストを抑えることができる。
上記（２）の構成のレバー式コネクタによれば、レバーの本係止位置への回動に連動させて仮保持位置に配置されたスペーサを本保持位置へ変位させ、ハウジングの端子収容室に収容した端子をスペーサで容易に係止させることができる。
上記（３）の構成のレバー式コネクタによれば、スペーサのボスに形成した係止片と、レバーの回動孔の縁部に形成した仮係止段部及び本係止段部とからなる簡単な構成によって、レバーの本係止位置への回動に連動させて仮保持位置に配置されたスペーサを本保持位置へ容易に変位させることができる。
上記（４）の構成のレバー式コネクタによれば、レバーを本係止位置へ回動させて相手側ハウジングを引き寄せることで、相手側ハウジングに設けられた回路基板の電極に、スペーサで係止させた端子の接点部を容易に当接させて電気的に接続させることができる。
【発明の効果】
【０００９】
本発明によれば、スペーサを備えつつ、コストダウン及び小型化が可能なレバー式コネクタを提供できる。
【００１０】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１１】
【図１】図１は、本実施形態に係るレバー式コネクタを示す図であって、図１の（ａ）はレバーが仮係止位置に配置されたレバー式コネクタの全体斜視図、図１の（ｂ）はレバーが本係止位置に配置されるとともに可動ガイド部材が後方へ変位したレバー式コネクタの全体斜視図である。
【図２】図２は、本実施形態に係るレバー式コネクタの分解斜視図である。
【図３】図３は、相手側コネクタに接合された状態のレバー式コネクタの水平方向に沿う断面図である。
【図４】図４は、相手側コネクタの概略正面図である。
【図５】図５は、レバーの組付け前のコネクタの全体斜視図である。
【図６】図６は、レバーの構造を説明する図であって、図６の（ａ）はレバーの斜視図、図６の（ｂ）は図６の（ａ）におけるＣ−Ｃ断面図である。
【図７】図７は、可動ガイド部材の斜視図である。
【図８】図８は、レバーの組付け時におけるレバー式コネクタの全体斜視図である。
【図９】図９は、レバー及びスペーサの動きを説明する図であって、図９の（ａ）〜図９の（ｃ）は、それぞれ鉛直方向の断面図である。
【図１０】図１０は、レバーが仮係止位置に配置されたレバー式コネクタの全体斜視図である。
【図１１】図１１は、レバーが係止方向へ向かって回動された状態のレバー式コネクタの全体斜視図である。
【図１２】図１２は、相手側コネクタに接合された状態のレバー式コネクタの水平方向に沿う断面図である。
【図１３】図１３は、図１２におけるＤ部拡大図である。
【図１４】図１４は、レバーが本係止位置に配置されたレバー式コネクタの後方からの全体斜視図である。
【発明を実施するための形態】
【００１２】
以下、本発明に係る実施の形態の例を、図面を参照して説明する。
図１〜図３に示すように、本実施形態に係るレバー式コネクタ１０（以下、単にコネクタ１０とも称す）は、ハウジング２０と、端子４０と、スペーサ５０と、レバー６０と、可動ガイド部材としてのフロントホルダ７０とを備えている。ハウジング２０、スペーサ５０、レバー６０及びフロントホルダ７０は、それぞれ電気絶縁性の樹脂から成形されている。
【００１３】
図４に示すように、コネクタ１０が接合される相手側コネクタ１の相手側ハウジング２は凹状に形成されており、この相手側ハウジング２にコネクタ１０のハウジング２０が嵌合されることで、コネクタ１０が相手側コネクタ１に接合される。
【００１４】
相手側コネクタ１には、その奥側に回路基板３が設けられており、コネクタ１０は、相手側コネクタ１に接合されることで、端子４０が回路基板３に形成された導体パターンからなる電極４に直接接触されて電気的に接続される（図３参照）。
【００１５】
また、コネクタ１０は、ハウジング２０に装着されたレバー６０が仮係止位置（図１の（ａ）に示す位置）から本係止位置（図１の（ｂ）に示す位置）へ回動されることで、ハウジング２０に相手側コネクタ１の相手側ハウジング２に設けられたカムピン５がレバー６０によって引き込まれ、相手側ハウジング２が引き寄せられる。これにより、コネクタ１０に対して相手側コネクタ１が低挿入力で接合される。また、コネクタ１０は、ハウジング２０に装着されたレバー６０が本係止位置（図１の（ｂ）に示す位置）から仮係止位置（図１の（ａ）に示す位置）へ回動されることで、カムピン５がレバー６０によって押し出され、相手側ハウジング２からハウジング２０が抜き出される。これにより、コネクタ１０は、レバー６０の操作によって、接合された相手側コネクタ１から取り外す際の引き抜き力も小さくされる。
【００１６】
このように、本実施形態に係るレバー式コネクタ１０は、回路基板３の電極４に直接接触するダイレクトタイプの端子４０を有するダイレクト接続型のコネクタであるとともに、レバー６０の操作によって相手側コネクタ１に対して低挿入力（Ｌｏｗ  Ｉｎｓｅｒｔｉｏｎ  Ｆｏｒｃｅ）で挿抜させるＬＩＦコネクタである。
【００１７】
ハウジング２０は、前後方向に沿う複数の端子収容室２１を有する箱型に形成されている。ハウジング２０には、下面側で開口する収容部２２を有している。収容部２２は、端子収容室２１に対して直交する面に沿って形成されている。ハウジング２０の上面には、収容部２２と連通する孔部２３が形成されている。
【００１８】
ハウジング２０は、その上部がレバー装着部２４とされている。レバー装着部２４を構成するハウジング２０の上部には、その一側にレバー回動規制部２５が設けられている。レバー回動規制部２５は、前端側が連結されて後端側が後方へ向かって延在する片持ち梁状の回動規制片２６を有している。回動規制片２６には、その上面に、係止凸部２６ａが形成されている。また、レバー装着部２４を構成するハウジング２０の上部には、他側における後端部分に、レバー係止部２７が形成されている。レバー係止部２７は、ハウジング２０の幅方向中央側に切り欠き部２８を有している。
さらに、ハウジング２０は、その前部に保持凹部２９を有しており、この保持凹部２９には、フロントホルダ７０が保持される。
【００１９】
端子４０は、その前部に、角筒状に形成された箱部４２を有している。箱部４２の内部には、弾性変形可能な帯状のバネ片４３が設けられている。バネ片４３は、後端側へ折り返されることで、Ｕ字状に湾曲した接点部４４を有しており、この接点部４４は、箱部４２の先端から前方へ突出されている。
【００２０】
端子４０は、箱部４２の後側に、電線加締部４５を有している。端子４０は、電線加締部４５を端部で導体を露出させた電線４１に加締めることにより、電線４１の端末に接続されて電線４１の導体と導通されている。
【００２１】
端子４０は、一枚の金属板をプレス成形することにより形成されており、一体構造のものとして製造されている。但し、バネ片４３を、箱部４２と別体に製造し、箱部４２の内部に収容すると共に箱部４２に溶接等により固定してもよい。
【００２２】
端子４０は、電線４１の先端に取り付けられた状態でハウジング２０の端子収容室２１に、その後方側から挿入されて収容される。端子４０は、回路基板３上の電極４に箱部４２の先端から突出したバネ片４３が直接接触して電気的に接続される。
【００２３】
スペーサ５０は、矩形の枠状に形成されている。このスペーサ５０は、ハウジング２０の端子収容室２１と同数の係止孔５２を有している。係止孔５２は、端子４０の箱部４２が挿通可能な大きさに形成されている。スペーサ５０には、その上部に、ボス５１が突設されている。ボス５１には、その先端に、側方へ向かって互いに反対方向へ突出する一対の係止片５５が形成されている。
【００２４】
図５に示すように、スペーサ５０は、ハウジング２０の下面で開口する収容部２２に挿入されて収容され、これにより、ボス５１がハウジング２０の上面の孔部２３から上方へ突出されてレバー装着部２４に配置される。そして、このボス５１にレバー６０が回動可能に支持される。
【００２５】
収容部２２に収容されるスペーサ５０は、端子収容室２１に対して係止孔５２が一致した仮保持位置と、端子収容室２１に対して係止孔５２が上方へずれた本保持位置に変位される。これにより、端子４０は、スペーサ５０が仮保持位置に配置された状態でハウジング２０の端子収容室２１に挿入可能とされる。また、端子収容室２１に収容された端子４０は、スペーサ５０が本保持位置に配置されることで、箱部４２の後端側がスペーサ５０の係止孔５２の縁部に係止され、端子収容室２１から抜け止めされる。
【００２６】
図６の（ａ）に示すように、レバー６０は、板状に形成されており、ハウジング２０の上部のレバー装着部２４に配置されて回動可能に支持される。レバー６０には、回動孔６１が形成されており、この回動孔６１には、ハウジング２０の上面の孔部２３から突出されたスペーサ５０のボス５１が挿通される。これにより、レバー６０は、ボス５１の軸線を中心として回動可能とされている。
【００２７】
レバー６０には、カム溝６２が形成されている。カム溝６２は、ハウジング２０の上部のレバー装着部２４に配置させたレバー６０の上面側に形成されている。カム溝６２は、レバー６０の周囲の一部で開放されたピン導入部６２ａを有し、このピン導入部６２ａから次第に中心に近づくように回動孔６１の周囲に沿って一方向に形成されている。そして、ピン導入部６２ａに相手側コネクタ１の相手側ハウジング２に設けられたカムピン５を挿し込んでレバー６０を回動させることで、カムピン５がハウジング２０の後方へ引き込まれ、ハウジング２０に対して相手側コネクタ１の相手側ハウジング２が引き寄せられる。
【００２８】
レバー６０は、ピン導入部６２ａが前方へ配置されてカムピン５の受け入れが可能な仮係止位置と、カムピン５を引き込んでハウジング２０に対して相手側ハウジング２を引き寄せる本係止位置との間で回動される。つまり、レバー６０は、カムピン５を引き込む本係止位置への回動方向である係止方向Ａへの回動（図１の（ａ）参照）、及びカムピン５の受け入れが可能とされるとともに引き込んで係止したカムピン５の引き込みを解除する係止解除方向Ｂへの回動（図１の（ｂ）参照）が可能とされている。
【００２９】
レバー６０は、回動孔６１を挟んでカム溝６２のピン導入部６２ａと反対側が操作部６３とされており、この操作部６３を把持して操作される。また、レバー６０は、下面側から側方へ張り出す係止板部６４と、上面側から側方へ張り出す係止板部６５とを有している。さらに、レバー６０は、操作部６３の下面側に、係止段部６９を有している。また、レバー６０は、仮係止位置に配置された状態で前方側に配置される変位規制部６８を有している。
【００３０】
レバー６０は、回動孔６１の縁部における対向位置に、挿通口７１を有している。また、回動孔６１の縁部における挿通口７１の側部には、一方側に仮係止段部６６が形成され、他方側に本係止段部６７が形成されている。図６の（ｂ）に示すように、本係止段部６７の上面は、仮係止段部６６の上面よりも高くされている。さらに、スペーサ５０が仮保持位置に配置された状態で、仮係止段部６６の上面はボス５１の係止片５５の下面よりも低い位置となり、本係止段部６７の上面はボス５１の係止片５５の下面よりも高い位置となる。また、スペーサ５０が本保持位置に配置された状態で、仮係止段部６６及び本係止段部６７のそれぞれの上面はボス５１の係止片５５の下面よりも低い位置となる。
【００３１】
また、本係止段部６７には、挿通口７１側の縁部に、挿通口７１から離れるにしたがって次第に高くなるように傾斜したテーパ形状のガイド面６７ａが形成されている。ガイド面６７ａの挿通口７１側における高さは、仮保持位置に配置されたスペーサ５０のボス５１の係止片５５の下面よりも低くされている。
従って、仮係止段部６６は、レバー６０が仮係止位置に配置された状態で係止片５５に対向し、本係止段部６７は、レバー６０が本係止位置に配置された状態で係止片５５を押圧してスペーサ５０を本保持位置へ変位させる。
【００３２】
図７に示すように、フロントホルダ７０は、矩形の枠状に形成されており、ハウジング２０の端子収容室２１と同数の挿通孔７２を有している。挿通孔７２は、端子４０の箱部４２が挿通可能な大きさに形成されている。このフロントホルダ７０は、ハウジング２０の前部の保持凹部２９に嵌め込まれ、ハウジング２０の前後方向へ移動可能に保持される。このフロントホルダ７０によって、ハウジング２０の端子収容室２１に収容された各端子４０は、接点部４４を有する箱部４２の先端が覆われる。このフロントホルダ７０の各挿通孔７２の前端側の縁部は、前方へ向かって突出する断面角形状の当接部７２ａとされている。
【００３３】
フロントホルダ７０は、その両側部に保持片７３を有しており、この保持片７３は、フロントホルダ７０をハウジング２０の保持凹部２９に保持させた状態で、フロントホルダ７０をハウジング２０に保持させる。なお、フロントホルダ７０は、ハウジング２０に対する保持片７３の係止によって、保持凹部２９からハウジング２０の前方側に突出した前方位置と、保持凹部２９内に入り込んだ後方位置とに配置される。
【００３４】
また、フロントホルダ７０には、その上端における一側部側に、上方へ突出する係止突起７５が形成されている。さらに、フロントホルダ７０には、その両側部に、前方へ突出する位置決め突起７６が形成されている。
【００３５】
次に、上記構成のレバー式コネクタ１０におけるレバー６０の組付け、端子４０の収容、相手側コネクタ１との接合、相手側コネクタ１からの取り外しについて説明する。
図８は、レバー６０の組付け時におけるレバー式コネクタ１０の全体斜視図である。図９は、レバー６０及びスペーサ５０の動きを説明する図であって、図９の（ａ）〜図９の（ｃ）は、それぞれ鉛直方向の断面図である。図１０は、レバー６０が仮係止位置に配置されたレバー式コネクタ１０の全体斜視図である。図１１は、レバー６０が係止方向へ向かって回動された状態のレバー式コネクタ１０の全体斜視図である。図１２は、相手側コネクタ１に接合された状態のレバー式コネクタ１０の水平方向に沿う断面図である。図１３は、図１２におけるＤ部拡大図である。図１４は、レバー６０が本係止位置に配置されたレバー式コネクタ１０の後方からの全体斜視図である。
【００３６】
（レバー６０の組付け）
レバー６０をハウジング２０のレバー装着部２４に組付けるには、ハウジング２０の下面側の開口から収容部２２にスペーサ５０を収容して仮保持位置に配置させ、孔部２３からボス５１を突き出させてボス５１をレバー装着部２４に配置させた状態とする（図５参照）。
次に、図８に示すように、挿通口７１をボス５１の係止片５５の位置に合わせ、レバー６０の回動孔６１にスペーサ５０のボス５１を入り込ませる。
【００３７】
その後、レバー６０を係止解除方向Ｂへ回動させ、レバー装着部２４に装着したレバー６０を仮係止位置へ移動させる(図１の（ａ）参照)。レバー６０を仮係止位置へ配置させると、図９の（ａ）に示すように、仮保持位置に配置されたスペーサ５０のボス５１の係止片５５の下方側へレバー６０の仮係止段部６６が入り込む。さらに、レバー６０の係止板部６４がハウジング２０のレバー係止部２７に形成された切り欠き部２８に入り込む（図１の（ａ）参照）。これにより、レバー６０がハウジング２０のレバー装着部２４に確実に保持された状態とされる。
【００３８】
また、レバー６０を仮係止位置に配置させると、図１０に示すように、レバー６０の係止板部６５の側方にハウジング２０のレバー回動規制部２５の回動規制片２６が配置される。これにより、仮係止位置に配置されたレバー６０の係止方向Ａへの回動が規制された状態となる。また、レバー６０が仮係止位置に配置されると、レバー６０の変位規制部６８がフロントホルダ７０の係止突起７５の後方に配置される。これにより、フロントホルダ７０のハウジング２０の後方側への移動が規制された状態となる。
【００３９】
（端子４０の収容）
端子４０をハウジング２０に収容させるには、スペーサ５０を仮保持位置に配置させて係止孔５２を端子収容室２１と連通させた状態で、箱部４２を前方に向けた端子４０をハウジング２０の後方側から端子収容室２１内へ挿し込んで収容させる。このとき、端子４０は、その先端が、前方位置に配置されたフロントホルダ７０の挿通孔７２内に配置さることで、このフロントホルダ７０によって覆われて保護された状態となる。
【００４０】
端子収容室２１へ端子４０を挿し込んで収容させたら、ハウジング２０のレバー回動規制部２５の回動規制片２６を押し下げて回動規制片２６によるレバー６０の係止板部６５の係止を解除させ、仮係止位置に配置されているレバー６０を係止方向Ａへ回動させて本係止位置へ移動させる。
【００４１】
このようにすると、スペーサ５０のボス５１の係止片５５に、係合方向Ａへ回動されるレバー６０の本係止段部６７に形成されたガイド面６７ａが当接し、このガイド面６７ａに沿ってボス５１が引き上げられ、その後、係止片５５の下方にレバー６０の本係止段部６７が入り込む。これにより、仮保持位置に配置されていたスペーサ５０がハウジング２０の上方へ変位して本保持位置に配置される。したがって、各端子４０の箱部４２の後方側がスペーサ５０の係止孔５２の縁部によって係止される。これにより、端子収容室２１に収容されている各端子４０は、ハウジング２０の後方側への移動が規制されて抜け止めされた状態とされる。
【００４２】
スペーサ５０を本保持位置に引き上げたら、レバー６０を係止解除方向Ｂへ回動させて仮係止位置へ配置させる。このように、スペーサ５０を本保持位置へ移動させた状態でレバー６０を仮係止位置へ配置させると、図９の（ｂ）に示すように、上方へ配置されたボス５１の係止片５５の下方にレバー６０の仮係止段部６６が入り込むが、仮係止段部６６とボス５１の係止片５５との間にクリアランスが生じ、係止片５５によってレバー６０が保持されなくなる。しかし、仮係止位置に配置されたレバー６０は、係止板部６４がハウジング２０のレバー係止部２７に形成された切り欠き部２８に入り込んでいるので、レバー装着部２４からのレバー６０の浮き上りが防止される。また、このようにレバー６０を仮係止位置に配置させると、レバー６０の係止板部６５がハウジング２０のレバー回動規制部２５の回動規制片２６に係止され、レバー６０の係止方向Ａへの回動が規制される。さらに、レバー６０の変位規制部６８がフロントホルダ７０の係止突起７５の後方に入り込む。これにより、フロントホルダ７０がハウジング２０の前方位置に配置された状態に維持され、フロントホルダ７０による端子４０の先端の保護が維持された状態となる。
【００４３】
（相手側コネクタ１との接合）
本実施形態に係るレバー式コネクタ１０を相手側コネクタ１に接合させるには、まず、ハウジング２０の前部を相手側コネクタ１の相手側ハウジング２に挿し込む。すると、相手側ハウジング２のカムピン５が、レバー６０のカム溝６２のピン導入部６２ａに入り込む。また、相手側ハウジング２の係止解除突起６（図４参照）が、ハウジング２０のレバー回動規制部２５における回動規制片２６の係止凸部２６ａに当接する。これにより、回動規制片２６が押し下げられ、この回動規制片２６によるレバー６０の係止板部６５に対する係止が解除され、レバー６０の係止方向Ａへの回動が可能とされる。
【００４４】
次に、レバー６０の操作部６３を把持し、レバー６０を係止方向Ａへ回動させる。すると、回動されるレバー６０のカム溝６２に入り込んだカムピン５が引き込まれる。また、レバー６０が係止方向Ａへ回動されることで、図１１に示すように、レバー６０の変位規制部６８がフロントホルダ７０の係止突起７５の後方位置から外れた位置に移動する。これにより、フロントホルダ７０のハウジング２０の後方位置への移動が可能とされる。
【００４５】
このとき、本保持位置に配置されたスペーサ５０の係止片５５は上方へ変位されているので、係止片５５が本係止段部６７に当接することなく、本係止段部６７が係止片５５の下方側へ入り込む。
【００４６】
さらに、レバー６０を係止方向Ａへ回動させると、フロントホルダ７０の当接部７２ａが相手側コネクタ１の回路基板３に当接し、フロントホルダ７０が保持凹部２９内に押し込められた後方位置に配置される。すると、フロントホルダ７０に対して端子４０が前方へ相対的に移動する。また、図１２に示すように、フロントホルダ７０に形成された位置決め突起７６が、回路基板３に形成された位置決め孔３ａに嵌合し、回路基板３に対してフロントホルダ７０が位置決めされる。そこで、フロントホルダ７０の当接部７２ａは、回路基板３の電極４の周囲に正確に当接することができる。
【００４７】
レバー６０が本係止位置まで回動されると、端子４０の箱部４２の接点部４４が回路基板３の電極４に接触して電気的に接続される（図３，図１２参照）。この状態で、図１３に示すように、回路基板３の電極４と端子４０の接点部４４との接続箇所は、当接部７２ａが回路基板３に当接されたフロントホルダ７０の各挿通孔７２を形成する壁部によって囲われ、それぞれ区画された状態となる。
【００４８】
レバー６０が本係止位置に配置された状態では、図９の（ｃ）に示すように、ボス５１の係止片５５の下方側に本係止段部６７がほぼクリアランスなく入り込むため、レバー６０は、ボス５１の係止片５５によってガタツキなく抜け止めされる。また、レバー６０が本係止位置に配置されると、図１４に示すように、レバー６０の操作部６３の裏側の係止段部６９が、レバー回動規制部２５の回動規制片２６に形成された係止凸部２６ａに係止され、これにより、レバー６０の係止解除方向Ｂへの回動が規制される。
【００４９】
（相手側コネクタ１からの取り外し）
相手側コネクタ１に接合されたレバー式コネクタ１０を相手側コネクタ１から取り外すには、まず、ハウジング２０のレバー回動規制部２５の回動規制片２６を押し下げ、係止凸部２６ａによるレバー６０の係止段部６９への係止を解除させる。このようにすると、レバー６０の係止解除方向Ｂへの回動の規制が解除される。
【００５０】
次に、本係止位置に配置されているレバー６０を係止解除方向Ｂへ回動させる。このようにすると、レバー６０のカム溝６２に引き込まれていたカムピン５がハウジング２０の前方側へ押し出され、ハウジング２０が相手側コネクタ１の相手側ハウジング２から抜き出される。これにより、回路基板３の電極４に接触されていた端子４０の接点部４４が電極４から離間し、相手側コネクタ１の回路基板３の電極４とコネクタ１０の端子４０との電気的接続が解除される。
【００５１】
レバー６０をさらに回動させて仮係止位置に配置させると、レバー６０のカム溝６２と相手側ハウジング２のカムピン５との係合が解除され、この状態で、相手側コネクタ１の相手側ハウジング２に嵌合されていたコネクタ１０のハウジング２０を抜き取ることで、相手側コネクタ１とコネクタ１０との接合が解除される。
【００５２】
また、レバー６０を仮係止位置に配置させると、レバー６０の係止板部６５がハウジング２０のレバー回動規制部２５の回動規制片２６に係止され、レバー６０の係止方向Ａへの回動が規制される。また、レバー６０の係止板部６４がハウジング２０のレバー係止部２７に形成された切り欠き部２８に入り込み、レバー６０がハウジング２０のレバー装着部２４に確実に保持された状態とされる。さらに、レバー６０の変位規制部６８がフロントホルダ７０の係止突起７５の後方に入り込む。これにより、フロントホルダ７０がハウジング２０の前方側へ押し出されて前方位置に配置され、端子４０の先端が覆われて保護された状態となる。
【００５３】
以上、説明したように、本実施形態に係るレバー式コネクタ１０によれば、相手側ハウジング２に対してハウジング２０を挿抜させるレバー６０が板状に形成され、しかも、端子４０を係止するスペーサ５０に形成されたボス５１にレバー６０を回転可能に支持させたので、コ字状のレバーの一対のカム板をハウジングの表裏に形成した支軸に回動可能に支持させた構造と比べ、構造の簡略化及び小型化を図ることができる。また、ハウジング２０におけるレバー６０の装着側と反対側からハウジング２０の収容部２２にスペーサ５０を押し込むことができるので、ピンを有する別部品からなる治具を用いることなくスペーサ５０を操作でき、部品点数の削減によってコストを抑えることができる。
【００５４】
しかも、本実施形態のレバー式コネクタ１０によれば、レバー６０の本係止位置への回動に連動させて仮保持位置に配置されたスペーサ５０を本保持位置へ変位させ、ハウジング２０の端子収容室２１に収容した端子４０をスペーサ５０で容易に係止させることができる。
また、本実施形態のレバー式コネクタ１０では、スペーサ５０のボス５１に形成した一対の係止片５５と、レバー６０の回動孔６１の縁部に形成した仮係止段部６６及び本係止段部６７とからなる簡単な構成によって、レバー６０の本係止位置への回動に連動させて仮保持位置に配置されたスペーサ５０を本保持位置へ容易に変位させることができる。
【００５５】
そして、本実施形態のレバー式コネクタ１０によれば、レバー６０を本係止位置へ回動させて相手側ハウジング２を引き寄せることで、相手側ハウジング２に設けられた回路基板３の電極４に、スペーサ５０で係止させた端子４０の接点部４４を容易に当接させて電気的に接続させることができる。
従って、本実施形態のレバー式コネクタ１０によれば、スペーサ５０を備えつつ、コストダウン及び小型化が可能なレバー式コネクタを提供できる。
【００５６】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５７】
ここで、上述した本発明に係るレバー式コネクタの実施形態の特徴をそれぞれ以下［１］〜［４］に簡潔に纏めて列記する。
［１］  相手側コネクタ（１）の凹状に形成された相手側ハウジング（２）に対してレバー（６０）の操作で挿抜されるレバー式コネクタ（１０）であって、
複数の端子収容室（２１）を有するハウジング（２０）と、
前記ハウジング（２０）の前記端子収容室（２１）に収容される複数の端子（４０）と、
前記ハウジング（２０）の一側部に開口された収容部（２２）に収容され、前記端子収容室（２１）と交差する方向へ変位することで前記端子（４０）を係止するスペーサ（５０）と、
前記ハウジング（２０）に対して回動されることで前記相手側ハウジング（２）に設けられたカムピン（５）を引き込んで前記ハウジング（２０）に前記相手側ハウジング（２）を引き寄せるカム溝（６２）を有し、前記カム溝（６２）に前記カムピン（５）を受け入れ可能な仮係止位置と前記カム溝（６２）に前記カムピン（５）を引き込む本係止位置との間で回動可能とされた板状のレバー（６０）と、
を備え、
前記スペーサ（５０）は、前記収容部（２２）に収容されることで前記ハウジング（２０）における前記レバー（６０）の装着側に突出するボス（５１）を有し、
前記レバー（６０）は、前記ハウジング（２０）における前記収容部（２２）への前記スペーサ（５０）の収容側と反対側で前記ボス（５１）に回動可能に支持されている
ことを特徴とするレバー式コネクタ（１０）。
［２］  前記スペーサ（５０）は、前記端子（４０）を係止しない仮保持位置と、前記端子（４０）を係止する本保持位置との間で変位可能とされ、
前記仮保持位置に配置された前記スペーサ（５０）が前記レバー（６０）の前記本係止位置への回動によって前記本保持位置へ変位される
ことを特徴とする上記［１］に記載のレバー式コネクタ（１０）。
［３］  前記ボス（５１）は、側方へ向かって互いに反対方向へ突出する一対の係止片（５５）を先端に有し、前記レバー（６０）は、前記ボス（５１）が挿通されて回動可能に支持される回動孔（６１）と、前記回動孔（６１）の縁部における対向位置に形成されて前記係止片（５５）が挿通される挿通口（７１）と、前記挿通口（７１）の一方側の側部に形成されて前記仮係止位置で前記係止片（５５）に対向する仮係止段部（６６）と、前記挿通口（７１）の他方側の側部に形成されて前記本係止位置で前記係止片（５５）を押圧して前記スペーサ（５０）を前記本保持位置へ変位させる本係止段部（６７）と、前記本係止段部（６７）における前記挿通口（７１）側の縁部に形成され、前記挿通口（７１）から離れるにしたがって次第に高くなるように傾斜したテーパ形状のガイド面（６７ａ）と、を有することを特徴とする上記［２］に記載のレバー式コネクタ（１０）。
［４］  前記端子（４０）は、前記レバー（６０）が前記本係止位置へ回動されて前記相手側ハウジング（２）が引き寄せられることで、前記相手側ハウジング（２）に設けられた回路基板（３）の電極（４）に当接して電気的に接続される接点部（４４）を有する
ことを特徴とする［１］〜［３］のいずれかに記載のレバー式コネクタ（１０）。
【符号の説明】
【００５８】
１：相手側コネクタ
２：相手側ハウジング
３：回路基板
４：電極
５：カムピン
１０：レバー式コネクタ
２０：ハウジング
２１：端子収容室
２２：収容部
４０：端子
４４：接点部
５０：スペーサ
５１：ボス
６０：レバー
６２：カム溝
【図１】
2018200767.tif 000003
【図２】
2018200767.tif 000004
【図３】
2018200767.tif 000005
【図４】
2018200767.tif 000006
【図５】
2018200767.tif 000007
【図６】
2018200767.tif 000008
【図７】
2018200767.tif 000009
【図８】
2018200767.tif 000010
【図９】
2018200767.tif 000011
【図１０】
2018200767.tif 000012
【図１１】
2018200767.tif 000013
【図１２】
2018200767.tif 000014
【図１３】
2018200767.tif 000015
【図１４】
2018200767.tif 000016